(57)【特許請求の範囲】
【請求項１】
複数のアスペクト比に対応した複数の撮影視野と複数の焦点距離に対応した複数の撮影視野とを組み合わせた、複数の異なる撮影視野を表示可能なファインダと、
前記複数の異なる撮影視野の切換えスイッチと、
前記切換えスイッチがＯＮされると前記複数の異なる撮影視野の各撮影視野を所定のインターバルで順次切り換えて前記ファインダ内に表示し、前記切換えスイッチがＯＦＦされると前記撮影視野の順次切り換えを停止する撮影視野切換手段と、
を備えたことを特徴とするカメラ。
【発明の詳細な説明】
【０００１】
【発明の属する技術分野】
本発明はカメラに係り、特にアスペクト比情報やズーム情報に対応した撮影視野を表示するカメラに関する。
【０００２】
【従来の技術】
最近種々のアスペクト比を有する写真プリントを得るのに適した、特にプリント時に同じ幅のロールペーパーを用いる、いわゆる同時プリントにおいて適したレンズ付きフィルムユニットが市販されるようになってきた。例えばいわゆるパノラマ用のレンズ付きフィルムユニットはアスペクト比が２．８である。このパノラマ用のレンズ付きフィルムが普及するにつれ従来のカメラでパノラマ撮影用の切り換えができるものが出現してきた。
【０００３】
【発明が解決しようとする課題】
しかしながら、これらのカメラにおいては撮影者は撮影前にどのタイプのアスペクト比の写真を撮るのかを決定して、そのための選定操作例えばレバーの切り換え等を行う必要があった。この場合、どのようなアスペクト比の画面構成がそのシーンにとって最適であるかを、撮影者は種々のアスペクト比の画面構成の中から比較して決定しているわけではない。さらに、その比較検討をするのに前述のように一々各アスペクト比になるようにカメラの操作を行いその都度ファインダの視野を見て比較決定することになり煩わしい。
【０００４】
また、可変焦点距離のカメラにあっては最適画面構成を決めるためには焦点距離を変えた場合の画面構成も事前にモニタしておきたい。
本発明はこのような事情に鑑みてなされたもので、撮影者が撮影しようとする被写体において最適な画面構成を選択する場合に、種々のアスペクト比等の撮影視野を自動的にモニター比較することにより、最適な撮影視野を容易に選択することができるカメラを提供することを目的とする。
【０００５】
【課題を解決するための手段】
本発明は、前記目的を達成する為に、複数の異なる撮影視野を表示可能なファインダと、前記撮影視野の切換えスイッチと、前記撮影視野の切換えスイッチがＯＮされると前記複数の異なる撮影視野のうち各撮影視野を所定のインターバルで順次切り換えて前記ファインダ内に表示し、前記切換えスイッチがＯＦＦされると前記撮影視野の順次切り換えを停止する撮影視野切換手段と、を備えたことを特徴としている。
【０００６】
本発明によれば、撮影視野の切換えスイッチをＯＮすると、切換え信号が撮影視野切換手段に入力する。これにより、撮影視野切換手段は、複数の異なる撮影視野のうち各撮影視野を所定のインターバルで順次切り換えて前記ファインダ内に表示する。また、撮影視野切換手段は、切換えスイッチがＯＦＦされると撮影視野の順次切り換えを停止する。
【０００７】
従って、複数の異なる撮影視野を自動的にモニター比較することができるので、種々のアスペクト比に対応した撮影視野や、種々の撮影レンズのズーム位置に対応した撮影視野をそれぞれ独立させて、又は組み合わせて自動的にモニター比較することができる。
【０００８】
【発明の実施の形態】
以下添付図面に従って本発明に係るカメラの好ましい実施例について詳説する。
図１は本発明に係るカメラの外観図であり、図２は図１のカメラのフォーマット切換え部の一実施例を示すブロック図である。カメラ１０はカメラ本体１２を有し、カメラ本体１２の前面の中央部には撮影レンズ１４が設けられている。撮影レンズ１４の上方にはファインダ１６が設けられ、ファインダ１６の左方向には測距窓１８Ａ、１８Ｂが設けられている。また、ファインダ１６の右方向にはストロボ発光部２０が設けられている。カメラ本体１２の上面にはシャッタボタン２２及び後述する視野モード切換えスイッチ２４が設けられている。
【０００９】
カメラ１０はフィルムの撮影画面サイズが、例えば標準サイズ（Ｌサイズ）、ハイビジョンサイズ（Ｈサイズ）、シネマスコープサイズ（Ｃサイズ）及びパノラマサイズ（Ｐサイズ）の４段階に切り換え可能に構成されている。ここで、Ｌサイズはアスペクト比１．５で撮影画面サイズが２４ｍｍ×３６ｍｍであり、Ｈサイズはアスペクト比１．７８で撮影画面サイズが２０．２ｍｍ×３６ｍｍである。また、Ｃサイズはアスペクト比２．３０で撮影画面サイズが１５．７ｍｍ×３６ｍｍであり、Ｐサイズはアスペクト比２．８４で撮影画面サイズが１２．７ｍｍ×３６ｍｍである。
【００１０】
前述した視野モード切換えスイッチ２４は押し下げられると視野モード切換え信号を出力し、元の位置に復帰すると視野モード設定信号を出力する。そして、視野モード切換えスイッチ２４が押し下げられた時の視野モード切換え信号や、視野モード切換えスイッチ２４が元の位置に復帰した時の視野モード設定信号は、図２のＣＰＵ２６に入力する。
【００１１】
ＣＰＵ２６は入力された視野モード切換え信号に基づいて液晶表示板（撮影視野切換手段）２８を制御する。図３にはケプラータイプのファインダ１６が示され、液晶表示板２８はこのファインダ１６の対物レンズ３６と接眼レンズ３８との間に位置するポロプリズム４０の入射面側に設けられる。液晶表示板２８はその上端部及び下端部に、図４に示すように、ライン状の液晶表示部４４、４６、４８がそれぞれ一対ずつ設けられている。そして、液晶表示部４４、４６、４８に視野モード切換え信号が入力された場合、液晶表示部４４、４６、４８が薄い色彩に着色される。
【００１２】
一方、液晶表示部４４、４６、４８に視野モード切換え信号が入力されない場合、液晶表示部４４、４６、４８が薄い色彩に着色されない。そして、液晶表示部４４、４６、４８が薄い色彩に着色されない場合、図５に示すように、Ｌサイズのファインダの撮影視野５０を得が得られる。また、液晶表示部４４に視野モード切換え信号が入力されると、液晶表示部４４が薄い色彩に着色されるので、図６に示すように、Ｈサイズのファインダの撮影視野５２が得られる。
【００１３】
さらに、液晶表示部４４、４６に視野モード切換え信号が入力されると、液晶表示部４４、４６が薄い色彩に着色されるので、図７に示すように、Ｃサイズのファインダの撮影視野５４が得られる。そして、液晶表示部４４、４６、４８に視野モード切換え信号が入力されると、液晶表示部４４、４６、４８が薄い色彩に着色されるので、図８に示すように、Ｐサイズのファインダの撮影視野５６が得られる。
【００１４】
そして、上述したようにＣＰＵ２６が入力された視野モード切換え信号に基づいて液晶表示板２８を制御することにより、液晶表示板２８はＬサイズ、Ｈサイズ、Ｃサイズ及びＰサイズの４段階のサイズが、Ｌサイズ→Ｈサイズ→Ｃサイズ→Ｐサイズの順に所定のインターバルでファインダ１６に自動的に表示する。
また、視野モード切換えスイッチ２４が元の位置に復帰すると、ＣＰＵ２６に視野モード設定信号が入力される。これにより、ＣＰＵ２６は露光範囲切換手段３４に設定信号を出力する。露光範囲切換手段３４はこの設定信号に基づいて、フィルムの撮影画面をＬサイズ、Ｈサイズ、Ｃサイズ及びＰサイズに切り換えるように露光範囲切換手段３４の駆動モータを制御する。
【００１５】
すなわち露光範囲切換手段３４は、図９に示すようにギア８４を有し、ギア８４はカメラ本体１２に回動自在に支持されている。ギア８４には図示しない駆動モータが回転力を伝達可能に連結されている。ギア８４にはギア８６、８８が噛合し、ギア８８にはギア９０が噛合している。ギア８６には軸８６Ａが一体的に形成され、ギア８６は軸８６Ａを介してカメラ本体１２に回動自在に支持されている。
【００１６】
ギア８６の軸８６Ａには画面規制板９２の左端部が固定され、画面規制板９２はアパーチャー９４の上縁を形成する。同様に、ギア９０には軸９０Ａが一体的に形成され、ギア９０は軸９０Ａを介してカメラ本体１２に回動自在に支持されている。ギア９０の軸９０Ａには画面規制板９６の左端部が固定され、画面規制板９６はアパーチャー９４の下縁を形成する。従って、駆動モータが駆動してギア８４が回動すると、画面規制板９２及び画面規制板９６は互いに近づく方向や互いに離れる方向に揺動する。
【００１７】
これにより、画面サイズ切換え装置８２はフィルムの撮影画面をＬサイズ、Ｈサイズ、Ｃサイズ及びＰサイズに切り換えることができる。尚、図９上で符号９８はアパーチャー９４にセットされたフィルムを示し、符号１００は撮影レンズ１４の後方に設けられたシャッタ機構である。
図１０に示すように、フィルム９８の撮影画面１０４、１０４…間には、現像処理終了後に目視できるようにＨサイズを示すＨ、Ｃサイズを示すＣ、Ｐサイズを示すＰ及びそれらの撮影フォーマット位置を示す点がそれぞれ予備露光されている。また、撮影画面１０４、１０４…の上下には、３５ｍｍフルサイズを示すＬ及びそれらの撮影フォーマット位置を示す点がそれぞれ予備露光されている。これらの符号Ｌ、Ｈ、Ｃ及びＰや撮影フォーマット位置を示す点の予備露光位置は、パーフォレーション１０６、１０６…の位置に基づいて高精度に位置決めされる。
【００１８】
撮影画面１０４、１０４…の下方には、上下２段に情報記録エリア１０８、１１０が設けられており、上段の情報記録エリア１０８には撮影後のフィルム給送時に一定間隔で発光されるＬＥＤや磁気記録装置によりフィルム給送時の速度情報が記録される。これと同時に、下段の情報記録エリア１１０には撮影画面１０４の撮影フォーマット情報等が記録される。このようなフィルム９８をプリンタにかけると、上段の情報記録エリア１０８に記録された速度情報に基づいて、下段の情報記録エリア１１０に記録された撮影フォーマット情報等が読み取られる。そして、この撮影フォーマット情報等に基づいて伸ばし倍率が自動設定され、撮影者の意図したアスペクト比のプリント写真が焼き付けられる。
【００１９】
前記の如く構成された本発明に係るカメラの作用について説明する。先ず、視野モード切換えスイッチ２４を押し下げて、視野モード切換えスイッチ２４から視野モード切換え信号を出力する。視野モード切換えスイッチ２４から出力された視野モード切換え信号はＣＰＵ２６に入力する。ＣＰＵ２６は入力された視野モード切換え信号に基づいて液晶表示板２８を制御する。これにより、液晶表示板２８で規制するフィルムの撮影視野は所定のインターバルで図５〜図８で示すようにＬサイズ→Ｈサイズ→Ｃサイズ→Ｐサイズ→Ｌサイズ…の順に切り換わる。
【００２０】
そして、順次切り換えられる撮影視野サイズのモードの中から所望のモード（例えば、Ｈサイズ）を選択する場合、Ｈサイズのモードの時に視野モード切換えスイッチ２４を押し下げ位置から元の位置に復帰させる。これにより、視野モード切換えスイッチ２４から視野モード設定信号が出力されてＣＰＵ２６に入力する。これにより、ＣＰＵ２６は視野モード設定信号に基づいて、図２に示す露光範囲切換手段３４の駆動モータを作動してフィルムの撮影画面サイズをＨサイズに設定する。
【００２１】
前記実施例では撮影視野モードを設定した後、露光範囲切換手段３４の駆動モータ３４Ａを作動してフィルムの撮影画面サイズをＨサイズに設定する場合について説明したが、これに限らず、所定のインターバルで順次切り換えてファインダ１６内に表示された各撮影視野に連動させて露光範囲切換手段３４の駆動モータを作動してもよい。
【００２２】
また、前記実施例では撮影視野を切り換える場合、標準サイズ（Ｌサイズ）を先に表示する場合について説明したが、これに限らず、例えばパノラマサイズ（Ｐサイズ）等を最初に表示するようにしてもよい。
さらに、前記実施例ではアスペクト比に対応させて撮影視野を切り換えたが、これに限らず、アスペクト比を同一に設定して撮影視野のサイズのみを切り換えるようにしてもよい。
【００２３】
また、前記実施例では露光範囲切換手段３４を使用してフィルムの撮影画面サイズに機械的に露光状態を合わせたが、これに限らず、設定された撮影視野モードの情報をフィルム９８の下段の情報記録エリア１１０に記録してもよい。これにより、フィルム９８をプリンタにかけると、下段の情報記録エリア１１０に記録された撮影視野モード情報（撮影フォーマット情報）等に基づいて伸ばし倍率が自動設定され、撮影者の意図したアスペクト比のプリント写真が焼き付けられる。このように、撮影視野モードの情報をフィルム９８の下段の情報記録エリア１１０に記録することにより、露光範囲切換手段３４を省略することができる。尚、撮影視野モードの情報は光学的に又は磁気的に情報記録エリア１１０に記録される。
【００２４】
前記実施例では液晶表示板２８を使用して撮影視野を切り換える場合について説明したが、これに限らず、図１１に示す他の実施例のように機械的にファインダの撮影視野を切り換えることも可能である。
以下、図１１において他の実施例を説明する。ファインダの撮影視野１１８は標準視野枠１２０で形成され、標準視野枠１２０上には視野切換枠１２２が配置されている。視野切換枠１２２は略く字型に形成され、中央部にダボ１２２Ａが立設されている。また、視野切換枠１２２は両端部に長穴１２２Ｂ、１２２Ｂが形成されている。
【００２５】
視野切換枠１２２上には視野切換枠１２４が配置され、視野切換枠１２４は略逆く字型に形成されている。これにより、視野切換枠１２２と視野切換枠１２４とで可変撮影視野１２５が形成される。視野切換枠１２４の中央部にはダボ１２４Ａが立設され、その両端部には長穴１２４Ｂ、１２４Ｂが形成されている。視野切換枠１２２の長穴１２２Ｂ、１２２Ｃと視野切換枠１２４の長穴１２４Ｂ、１２４Ｃはそれぞれ互いに同軸上に配置されている。そして、長穴１２２Ｂ、長穴１２４Ｂにはダボ１２６が嵌入され、ダボ１２６は標準視野枠１２０に立設されている。
【００２６】
また、長穴１２２Ｃ、長穴１２４Ｃにはダボ１２８が嵌入され、ダボ１２８は標準視野枠１２０に立設されている。これにより、可変撮影視野１２５はファインダの撮影視野１１８に重複する。さらに、視野切換枠１２２及び視野切換枠１２４上には動輪１３０が配置され、動輪１３０の外周には長溝１３０Ａ、１３０Ｂが形成されている。長溝１３０Ａ、１３０Ｂにはそれぞれダボ１２２Ａ、１２４Ａが嵌入されている。動輪１３０は軸線を中心にして回動自在に支持され、動輪１３０には回転力を伝達可能に駆動モータ（図示せず）が連結されている。
【００２７】
従って、駆動モータで動輪１３０を回動すると、ダボ１２２Ａ、１２４Ａが矢印方向に移動するので可変撮影視野１２５のサイズが変わり、ファインダの撮影視野のサイズが変化する。これにより、前記実施例のＣＰＵ２６で動輪１３０の駆動モータを制御することにより前記実施例と同様にファインダの撮影視野を切り換えることができる。
【００２８】
さらに、前記実施例ではアスペクト比に対応させて撮影視野をＬサイズ→Ｈサイズ→Ｃサイズ→Ｐサイズの順に所定のインターバルでファインダ１６に表示する場合について、説明したが、これに限らず、焦点距離ｆの切換えモードに基づいて撮影視野を切り換えるようにしてもよい。この場合、ＣＰＵ２６は入力された視野モード切換え信号に基づいて、視野モード切換え信号を可変倍率切換手段３０に出力する。
【００２９】
可変倍率切換手段３０は、図１２に示すように変倍ファインダ機構７０を備え、変倍ファインダ機構７０の駆動カム７２はギア７２Ａ及び立体カム７２Ｂから成り、駆動カム７２は両端部に形成されたピン７２Ｃ、７２Ｄを介してファインダ部（図示せず）に回動自在に支持されている。ギア７２Ａは図示しない撮影レンズ鏡胴の可動筒と連動して回転駆動される。この撮影レンズ鏡胴の可動筒は駆動モータ３０Ａ（図２参照）の作動で駆動する。
【００３０】
また、可動レンズ枠７４にはばね７８が取り付けられ、可動レンズ枠７４から突出したピン７６の先端部がばね７８の付勢力で立体カム７２Ｂに接触する。従って、ギア７２Ａが回転すると可動レンズ枠７４は前後方向に移動する。これにより、可動レンズ枠７４内に設けられている可動レンズ８０が矢印方向（カメラの前後方向）に移動してファインダの撮影視野が撮影時の倍率に連動して倍率調整される。
【００３１】
そして、図１に示すカメラ１０の焦点距離ｆが３５ｍｍ〜７０ｍｍの範囲の場合、例えば焦点距離ｆの自動モード切換えをf1＝３５ｍｍ、f2＝５０ｍｍ、f3＝７０ｍｍの３段階に設定する。この場合、可変倍率切換手段３０はＣＰＵ２６から出力された視野モード切換え信号に基づいて、撮影レンズ鏡胴の可動筒を駆動する駆動モータ３０Ａを作動させて、撮影視野の焦点距離モードをf1＝３５ｍｍ（図１３の撮影視野１５０参照）→f2＝５０ｍｍ（図１４の撮影視野１５２参照）→f3＝７０ｍｍ（図１５の撮影視野１５４参照）の順に所定のインターバルで切り換える。
【００３２】
前記の如く構成された本発明に係るカメラの作用について説明する。先ず、視野モード切換えスイッチ２４を押し下げて、視野モード切換えスイッチ２４から視野モード切換え信号を出力する。そして、視野モード切換えスイッチ２４から出力された視野モード切換え信号はＣＰＵ２６に入力する。ＣＰＵ２６は入力された視野モード切換え信号に基づいて、視野モード切換え信号を可変倍率切換手段３０に出力する。
【００３３】
可変倍率切換手段３０はＣＰＵ２６から出力された視野モード切換え信号に基づいて、撮影レンズ鏡胴の可動筒を駆動する駆動モータを作動させて、焦点距離ｆのモードをf1＝３５ｍｍ→f2＝５０ｍｍ→f3＝７０ｍｍの順に切り換える。そして、順次切り換えられている焦点距離ｆのモードの中から所望のモード（例えば、f2＝５０ｍｍのモード）を選択する場合、f2＝５０ｍｍのモードがファインダ１６に表示されたとき、視野モード切換えスイッチ２４を押し下げ位置から元の位置に復帰させる。これにより、視野モード切換えスイッチ２４から視野モード設定信号が出力されてＣＰＵ２６に入力する。
【００３４】
ＣＰＵ２６は視野モード設定信号に基づいて可変倍率切換手段３０に設定信号を出力する。可変倍率切換手段３０は設定信号に基づいて駆動モータ３０Ａを停止する。これにより、ズームレンズの焦点距離ｆがf2＝５０ｍｍに設定される。尚、この状態で焦点距離f2＝５０ｍｍを微調整する場合には、通常のズーム操作で行うことができる。
【００３５】
前記実施例ではアスペクト比に対応させて撮影視野を切り換える場合と、焦点距離ｆに対応させて撮影視野を切り換える場合とを、それぞれ独立させて適用する場合について説明したが、これに限らず、これらを組み合わせて採用することも可能である。この場合、ＣＰＵ２６は液晶表示板２８を可変倍率切換手段３０より優先させて制御する。
【００３６】
すなわち、ＣＰＵ２６は、先ず液晶表示板２８でフィルムの撮影画面のサイズをＬサイズに設定する。そして、撮影画面がＬサイズの状態で、可変倍率切換手段３０で焦点距離ｆをf1＝３５ｍｍ→f2＝５０ｍｍ→f3＝７０ｍｍの順に所定のインターバルで切り換える。次に、液晶表示板２８でフィルムの撮影画面のサイズをＬサイズからＨサイズに切り換える。そして、撮影画面がＨサイズの状態で、可変倍率切換手段３０で焦点距離ｆをf1＝３５ｍｍ→f2＝５０ｍｍ→f3＝７０ｍｍの順に所定のインターバルで切り換える。
【００３７】
次いで、液晶表示板２８でフィルムの撮影画面のサイズをＨサイズからＣサイズに切り換える。そして、撮影画面がＣサイズの状態で、可変倍率切換手段３０で焦点距離ｆをf1＝３５ｍｍ→f2＝５０ｍｍ→f3＝７０ｍｍの順に所定のインターバルで切り換える。続いて、液晶表示板２８でフィルムの撮影画面のサイズをＣサイズからＰサイズに切り換える。そして、撮影画面がＰサイズの状態で、可変倍率切換手段３０で焦点距離ｆをf1＝３５ｍｍ→f2＝５０ｍｍ→f3＝７０ｍｍの順に所定のインターバルで切り換える。
【００３８】
一方、上述したように順次切り換えられている撮影画面サイズや焦点距離ｆのモードの中から所望のモード（例えば、Ｈサイズでf2＝５０ｍｍのモード）で撮影する場合、Ｈサイズでf2＝５０ｍｍのモードがファインダ１６に表示されたとき、視野モード切換えスイッチ２４を全押し位置まで押し下げる。これにより、視野モード切換えスイッチ２４から視野モード設定信号が出力されてＣＰＵ２６に入力する。
【００３９】
ＣＰＵ２６は視野モード設定信号に基づいて可変倍率切換手段３０に設定信号を出力する。可変倍率切換手段３０は設定信号に基づいて駆動モータ３０Ａを停止する。これにより、ズームレンズの焦点距離ｆがf2＝５０ｍｍに設定される。また、ＣＰＵ２６は視野モード設定信号に基づいて後述するフィルムの撮影画面サイズ切換え装置８２の駆動モータを作動して、フィルムの撮影画面サイズをＨサイズに設定する。
【００４０】
前記実施例では視野モード切換えスイッチ２４を押し下げ位置から元の位置に復帰させることにより撮影視野を決定する場合について説明したが、これに限らず、シャッターレリーズボタンを半押し状態に押し込んで撮影視野を決定するようにしてもよい。
前記実施例ではアスペクト比をズームレンズの焦点距離ｆに優先させて撮影視野モードを切り換える場合について説明したが、これに限らず、ズームレンズの焦点距離ｆをアスペクト比に優先させて撮影視野モードを切り換えてもよい。
【００４１】
また、前記実施例では撮影用ズームレンズを使用した場合について説明したが、これに限らず、設定された撮影視野モードのズーム情報をフィルム９８の下段の情報記録エリア１１０に記録してもよい。これにより、フィルム９８をプリンタにかけると、下段の情報記録エリア１１０に記録されたズーム情報に基づいてプリント写真が焼き付けられる。このように、撮影視野モードのズーム情報をフィルム９８の下段の情報記録エリア１１０に記録することにより、撮影用ズームレンズを除去することができる。
【００４２】
【発明の効果】
以上説明したように本発明に係るカメラによれば、ファインダ内で複数の異なる撮影視野を自動的に所定のインターバルで表示してモニター比較することができるので、種々のアスペクト比に対応した撮影視野や、種々の撮影レンズのズーム位置に対応した撮影視野をそれぞれ独立させて、又は組み合わせて自動的にモニター比較することができる。
【００４３】
このように、被写体に対応する最適な撮影視野を容易に設定することができるので、所望の被写体を最適な撮影状態で撮影することができる。また、複数の異なる撮影視野を自動的にモニター比較することができるので撮影視野の選定を楽しく行うことができる。
【図面の簡単な説明】
【図１】本発明に係るカメラの外観図
【図２】本発明に係るカメラのフォーマット切換え部の一実施例を示すブロック図
【図３】本発明に係るカメラに使用されたファインダの構成を示す斜視図
【図４】図３に示したファインダに設けられた液晶表示板を示す平面図
【図５】標準画面のファインダ内の撮影視野を示す平面図
【図６】ハイビジョン画面のファインダ内の撮影視野を示す平面図
【図７】シネマスコープ画面のファインダ内の撮影視野を示す平面図
【図８】パノラマ画面のファインダ内の撮影視野を示す平面図
【図９】本発明に係るカメラに使用された露光範囲切換手段の要部拡大図
【図１０】本発明に係るカメラに使用されるフィルムの平面図
【図１１】本発明に係るカメラに使用された他の実施例のファインダの構成を分解した状態で示す斜視図
【図１２】本発明に係るカメラに使用された変倍ファインダの要部拡大図
【図１３】焦点距離ｆ1 の撮影視野を示す平面図
【図１４】焦点距離ｆ2 の撮影視野を示す平面図
【図１５】焦点距離ｆ3 の撮影視野を示す平面図
【符号の説明】
１０…カメラ
１６…ファインダ
２４…切換えスイッチ
２６…ＣＰＵ（撮影視野切換手段）
３０…可変倍率切換手段
３４…液晶表示板（露光範囲切換手段）
【図１】
0003777512.tif 000002
【図２】
0003777512.tif 000003
【図３】
0003777512.tif 000004
【図４】
0003777512.tif 000005
【図５】
0003777512.tif 000006
【図６】
0003777512.tif 000007
【図７】
0003777512.tif 000008
【図８】
0003777512.tif 000009
【図９】
0003777512.tif 000010
【図１０】
0003777512.tif 000011
【図１１】
0003777512.tif 000012
【図１２】
0003777512.tif 000013
【図１３】
0003777512.tif 000014
【図１４】
0003777512.tif 000015
【図１５】
0003777512.tif 000016